(57)【特許請求の範囲】
【請求項１】
光を照射するレーザーユニットを収容する本体部と、
前記本体部下部に設けられ、第１の嵌合リブを有するスタンド部と、
保持具に取り付けるためのねじ部と、前記第１の嵌合リブと互いに対をなす第２の嵌合リブを有するアタッチメントと、
前記第１及び第２の嵌合リブの嵌合方向と直交方向から前記嵌合リブの一方を他方に押圧する押圧部と、を備え、
前記第１又は第２の嵌合リブのうち、一方の嵌合リブは、嵌合方向と直交方向において他方の嵌合リブの両側に位置するように形成されることを特徴とするレーザー墨出し器。
【請求項２】
前記第１の嵌合リブは円筒状であり、前記第２の嵌合リブは、前記第１の嵌合リブの内側と外側に位置する二重の円筒状であり、前記第２の嵌合リブのうち外側に位置する嵌合リブに前記押圧部の挿入を許容させる切り欠き部を設けたことを特徴とする請求項１に記載のレーザー墨出し器。
【請求項３】
前記第２の嵌合リブのうち外側に位置する嵌合リブの高さは、その内側に位置する嵌合リブの高さよりも高いことを特徴とする請求項２に記載のレーザー墨出し器。
【請求項４】
前記第１の嵌合リブは、内側と外側に位置する二重の円筒状であり、前記第２の嵌合リブは一重の円筒状であることを特徴とする請求項１に記載のレーザー墨出し器。
【請求項５】
前記第２の嵌合リブは、前記アタッチメントと一体成型されることを特徴とする請求項１〜４のいずれか一項に記載のレーザー墨出し器。
【請求項６】
前記第１の嵌合リブは、前記スタンド部と一体成型されることを特徴とする請求項１〜５のいずれか一項に記載のレーザー墨出し器。
【発明の詳細な説明】
【技術分野】
【０００１】
本発明は、建築現場などで使用されるレーザー光を基準線として照射するレーザー墨出し器に関するものであり、特に三脚等の保持具への固定の際に用いられるアタッチメントへ安定して取り付けることのできるレーザー墨出し器に関する。
【背景技術】
【０００２】
家屋建築などの建築現場において、各種部材の取り付け基準位置の設定や部材加工の位置決め等のために、床、壁、天井などの被建築物または被建設物に水準線を出す作業、すなわち墨出し作業が必須である。近年、ライン光の照射機能を有するレーザー墨出し器を用いて、効率良く墨出し作業を行うことが多くなった。レーザー墨出し器は１人で墨出し作業を容易に行うことができるため、建築作業には欠かせないツールとなりつつある。墨出しラインには床から壁、天井にかけて垂直ラインを描くいわゆる『たちライン』や２本の『たちライン』を同時に照射させることで天井に直角ラインを描く『大矩ライン（おおがねライン）』あるいは壁に水平線を描く『ろくライン』あるいはレーザー墨出し器の直下の床上に集光したレーザビームを照射する『地墨』等いろいろなラインが存在する。通常、垂直ラインを使用する場合は、床に標された基準墨にライン合わせがあるため三脚が使用されずに、レーザー墨出し器を床において使用することが多い。三脚上からのライン合わせが面倒なためである。水平ラインを使用する場合には窓枠などの位置に合わせるため、レーザー墨出し器本体の上下移動が必要となり、三脚が使用されることが多い。
【０００３】
従って、使用する場面に応じて、レーザー墨出し器と三脚の着脱操作は頻繁に行われる。例えば、特許文献１では、三脚取付け具たるアタッチメントの上部に円筒状の凸部１３を設け、墨出し器１の円筒状の凹部４と嵌合させることにより、レーザー墨出し器を三脚に取付けるようにしている。
【０００４】
ここで、従来のレーザー墨出し器の一例を図７〜１０を用いて説明する。図７は、従来のレーザー墨出し器の外観を示す正面図であり、図８はその断面図であり、図９は、図７のＢ−Ｂ部の断面を示す断面図であり、図１０は、図７のアタッチメント１１の外観を示す斜視図である。
【０００５】
図７、８において、レーザー墨出し器は、主に、本体部１とスタンド部２から構成され、本体部１にはカバー３、レーザー照射部６からレーザーを照射するために複数設けられた照射窓７を有する。本体部１の内部には、レーザー照射部６を有するレーザー照射ユニット４が設置される。レーザー照射ユニット４は図示せぬレーザー光源から出射されたレーザー光を、ライン光に変換するレンズ等を有し、レンズから出射されたライン光が照射窓７から本体外部に照射される。レーザー照射ユニット４はスタンド部２に固定されるフレーム５に釣り下げられ、非稼働時にはノブ８を回転するとストッパ９が上方に押し上げられ、レーザーユニット６に接触し、レーザーユニット６の動きを拘束する。フレーム５及びレーザー照射ユニット４を覆うカバー３は、スタンド部２に対して水平方向に回転自在に配設される。
【０００６】
スタンド部２の下部の外周部には、略１２０度の間隔で３つの脚２１が取り付けられ、内周部には円筒状の突出した嵌合リブ２ａが形成される。脚２１は、レーザー墨出し器を床などに置く場合に用いられる。アタッチメント１１は三脚１３やその他の任意の保持器具に固定するために用いられる円筒状の部材であり、下部には雌ねじ１１ｃが形成され、上部には図１０から理解できるように円筒状の嵌合リブ１１ａが設けられ、雌ねじ１１ｃに三脚の雄ねじ１３ａを取り付けることにより三脚に固定される。レーザー墨出し器は、スタンド部２の下部に形成された円筒状の嵌合リブ２ａの内側に、アタッチメント１１の上部に形成された嵌合リブ１１ａにはめ込むことにより固定される。レーザー墨出し器のスタンド部２の周囲の一カ所には、ノブ１０によって雄ねじ１０ａをねじ込み、嵌合リブ１１ａに押圧する押圧部が設けられ、この押圧部が、嵌合リブ２ａが嵌合リブ１１ａから脱着しないためのストッパとしての機能を果たす。
【０００７】
三脚１３は、詳細を図示していないが、カメラ用三脚で周知の如く、脚が多段式で収縮可能な構成である。また、図示していないが、その上部にハンドルを設け、ハンドルの回転でシリンダが昇降させて、天板を上下させるようにしても良い。
【０００８】
【特許文献１】特開２００４−４５２４０号公報
【発明の開示】
【発明が解決しようとする課題】
【０００９】
従来のレーザー墨出し器では、アタッチメント１１にレーザー墨出し器を取り付けた際に、それがとれないようにするストッパたる押圧部を備えているが、レーザー墨出し器を三脚に載せたまま移動する際に作業者が誤って三脚を横倒しの状態にしてしまった場合、レーザー墨出し器に自重による力が加わり、レーザー墨出し器がアタッチメントに対して傾くことがあり得る。押圧部の雄ねじ１０ａのねじ込み不足により保持力が不充分な場合は、最悪、レーザー墨出し器がアタッチメント１１から脱落してしまう恐れがあった。
【００１０】
この状態を示したのが、図１１であり、従来のアタッチメント１１は、嵌合リブ１１ａが嵌合リブ２ａの内側に入る円筒形状としており、雄ねじ１０ａで固定しても矢印の方向の力１９が加わると、アタッチメント１１に対して本体部１及びベース部２が傾き、雄ねじ１０ａだけでは保持しきれなくなり、本体部１がアタッチメント１１から脱落する場合があった。
【００１１】
このような前記レーザー墨出し器の脱落を防止するために、ストッパたる押圧部を１カ所でなく、複数箇所にし、ねじの本数を増やせば効果はあるが、製造コストが上がってしまう。また、嵌合リブ１１ａに雄ねじ１０ａが貫通する穴を開けて、雄ねじ１０ａをその穴に貫通するようにして保持すれば脱落を防止できるが、そのためには、レーザー墨出し器の装着時にその穴の位置を雄ねじ１０ａに正確に合わせる必要があり、使い勝手が悪くなる。
【００１２】
本発明の目的は、ねじなどの部品を増やさずに、レーザー墨出し器を容易に保持具に取付け可能とすると共に、脱落し難いアタッチメント形状としたレーザー墨出し器を提供することである。
【００１３】
本発明の別の目的は、レーザー墨出し器の着脱が簡単で、レーザー墨出し器を保持具に取り付けた状態で横に傾けても自重で落下しにくい構造を有するレーザー墨出し器を提供することである。
【課題を解決するための手段】
【００１４】
本願において開示される発明のうち、代表的なものの特徴を説明すれば、次の通りである。
【００１５】
本発明の一つ特徴によれば、光を照射するレーザーユニットを収容する本体部と、本体部下部に設けられ第１の嵌合リブを有するスタンド部と、三脚等の保持具に取り付けるためのねじ部と第１の嵌合リブと互いに対をなす第２の嵌合リブを有するアタッチメントと、第１及び第２の嵌合リブの嵌合方向と直交方向から嵌合リブの一方を他方に押圧する押圧部を備え、第１又は第２の嵌合リブのうち、一方の嵌合リブは、嵌合方向と直交方向において他方の嵌合リブの両側に位置するように形成することにより達成できる。
【００１６】
本発明の他の特徴によれば、第１の嵌合リブは円筒状であり、第２の嵌合リブは、第１の嵌合リブの内側と外側に位置する二重の円筒状であり、第２の嵌合リブのうち外側に位置する嵌合リブに押圧部の挿入を許容させる切り欠き部を設けた。さらに、第２の嵌合リブのうち外側に位置する嵌合リブの高さは、その内側に位置する嵌合リブの高さよりも高くする。この第２の嵌合リブは、プラスチック等の樹脂や軽金属にて形成でき、アタッチメントと一体成型すると強度的にも好ましい。
【００１７】
本発明の他の特徴によれば、上記と逆に、第１の嵌合リブを内側と外側に位置する二重の円筒状とし、第２の嵌合リブは一重の円筒状とした。この場合も、第１の嵌合リブは、スタンド部を形成するベース部材と一体成型された軽金属製であると強度的に好ましい。
【発明の効果】
【００１８】
請求項１の発明によれば、第１又は第２の嵌合リブのうち、一方の嵌合リブは、嵌合方向と直交方向において他方の嵌合リブの両側に位置するように形成されるので、作業者が誤って横倒しの状態にしてレーザー墨出し器の自重による力が加わっても、レーザー墨出し器の嵌合リブの傾きを、その外側を覆うアタッチメント側の嵌合リブで抑えることになり、レーザー墨出し器がアタッチメントから外れることを効果的に防止できる。
【００１９】
請求項２の発明によれば、第１の嵌合リブは円筒状であり、第２の嵌合リブは二重の円筒状であり、第２の嵌合リブのうち外側に位置する嵌合リブに押圧部の挿入を許容させる切り欠き部を設けたので、レーザー墨出し器側の嵌合リブの変更をすることなく、アタッチメント側の構造を変えるだけでレーザー墨出し器がアタッチメントから外れることを効果的に防止できる
【００２０】
請求項３の発明によれば、第２の嵌合リブのうち外側に位置する嵌合リブの高さは、その内側に位置する嵌合リブの高さよりも低くしたので、外側の嵌合リブがガイド板の役目を果たし、レーザー墨出し器のアタッチメントへの装着を容易にできる。
【００２１】
請求項４の発明によれば、第１の嵌合リブが内側と外側に位置する二重の円筒状であり、第２の嵌合リブは一重の円筒状であるので、本体側の構造を変えるだけでレーザー墨出し器がアタッチメントから外れることを効果的に防止できる。また、本体側の嵌合リブを増やすので、押圧部の挿入を許容させる切り欠きを設ける必要も無く、押圧部を考慮して嵌合リブを製造できる。
【００２２】
請求項５の発明によれば、二重にされる第２の嵌合リブは、アタッチメントと一体成型されるので、容易に製造でき、また強度も十分に保つことができる。
【００２３】
請求項６の発明によれば、第１の嵌合リブはスタンド部と一体成型されるので、容易に製造でき、また強度も十分に保つことができる。
【００２４】
本発明の上記及び他の目的ならびに新規な特徴は、以下の明細書の記載及び図面から明らかになるであろう。
【発明を実施するための最良の形態】
【００２５】
本発明の実施形態の一例を、図１〜図６を用いて説明する。図１は、本発明の実施形態によるレーザー墨出し器の外観を示す正面図であり、図２はその断面図であり、図３は図１のＡ−Ａ部の断面を示す断面図であり、図４はアタッチメント１２の外観を示す斜視図であり、図５はスタンド部２のアタッチメント１２への取り付け状態を示す断面図であり、図６はスタンド部２のアタッチメント１２からの取り外し時の状態を示す断面図である。なお、以下の図において、従来の装置と同一の機能を有する部分には同一の符号を付し、繰り返しの説明は省略する。
【００２６】
図１〜３に示すように、レーザー墨出し器は、主に、本体部１とスタンド部２から構成され、本体部１にはカバー３、レーザー照射部６からレーザーを照射するために複数設けられた照射窓７を有する。スタンド部２の内周部には円筒状の突出したリブ形状である嵌合リブ２ａ（第１の嵌合リブ）が形成される。アタッチメント１２は三脚１３やその他の任意の保持具に固定するために用いられる円筒状の部材であり、下部には雌ねじ１２ｃが形成され、上部には図４から理解できるように二重に設けられた円筒状の嵌合リブ（第２の嵌合リブ）、即ち、内周側嵌合リブ１２ａと外周側嵌合リブ１２ｂが設けられる。内周側嵌合リブ１２ａは、図１１で示した従来のアタッチメント１１の嵌合リブ１１ａと同寸法、同形状であることが好ましく、そのように構成することにより、従来から用いられているレーザー墨出し器を、本発明に係るアタッチメント１２に装着することが可能となる。
【００２７】
図４の斜視図から理解できるように、外周側嵌合リブ１２ｂの一部には、ノブ１０を有する押圧部の挿入を許容させる切り欠き部１４が形成される。切り欠き部１４の幅（円周方向）は、ノブ１０よりもわずかに大きくする。また、図示していないが、切り欠き部１４の上端部の角を斜めに切り落とすようにすれば装着がし易くなる。切り込みの円周方向の大きさ、及び、軸方向の深さは、図３、図４で理解できるように、ノブ１０と雄ねじ１０ａで形成される押圧部を避ける程度の大きさでよい。また、本実施形態では切り欠き部１４が１カ所だけ形成されるが、複数箇所、例えば１８０度離れた位置に２カ所設ければ、レーザー墨出し器をアタッチメント１２に取り付ける際に必要な位置あわせのための回転が少なくてすむので、装着が容易になる。
【００２８】
本発明によるレーザー墨出し器を三脚１３に取付ける場合は、まず、三脚１３にアタッチメント１２を取り付け、次にレーザー墨出し器のスタンド部２に形成された嵌合リブ２ａを、アタッチメント１２の内周側嵌合リブ１２ａ及び外周側嵌合リブ１２ｂに合わせ、軽く押し込む。この装着のしかたを、図５を用いてさらに説明する。
【００２９】
図５は、アタッチメント１２の内周側嵌合リブ１２ａと外周側嵌合リブ１２ｂの高さ関係を示す模式図である。図５から理解できるように、外周側嵌合リブ１２ｂは内周側嵌合リブ１２に比べて高さｄだけ、若干高さが高くなっている。例えば、外径が１７０ｍｍ、高さが２２０ｍｍ程度のレーザー墨出し器には、アタッチメント１２の外周側嵌合リブ１２ｂの直径は７３ｍｍ程度、内周側嵌合リブ１２ａの直径は６０ｍｍ程度のものが利用可能であるが、その場合の高さｄは、約０．５ｍｍである。もちろん、これらの寸法はこれに限られるものではなく、その寸法は任意である。
【００３０】
嵌合リブ２ａを内周側嵌合リブ１２ａ及び外周側嵌合リブ１２ｂに合わせ、軽く押し込む際、図５の１５で示す部分の状態から理解できるように、嵌合リブ２ａが内周側嵌合リブ１２ａの上面に当接し、それを外周側嵌合リブ１２ｂの内周面に当接するように移動させれば、嵌合リブ２ａを、内周側嵌合リブ１２ａと外周側嵌合リブ１２ｂの間に容易に挿入することができ、本体部１のアタッチメント１２への取り付けがきわめて容易になる。つまり、外周側嵌合リブ１２ｂの高さを若干高くしたことによって、取り付け時のガイド板として機能させることができる。尚、図５においては、内周側嵌合リブ１２ａ、外周側嵌合リブ１２ｂ、及び、嵌合リブ２ａの断面形状が、長方形（鉛直部が直角）に描かれているが、厳密にいうとアタッチメント１２は、プラスチック樹脂や軽金属などの一体成型で製造されるので、先端に向かってわずかながらテーパー状になっている。
【００３１】
図６は、三脚を傾けた際にレーザー墨出し器が外れる状態を示す模式図である。図６から理解できるように、本体部１が矢印１８の方向に移動し、斜めになった際に、内周側嵌合リブ１２ａの外周と嵌合リブ２ａの内周側（図６の１６で示す箇所）が接触する。図７〜１０で示した従来の本体部１の場合は、接触する箇所は１６だけであるが、本願発明においては、さらに外周側嵌合リブ１２ａの内周と嵌合リブ２ａの外周側（図６の１７で示す箇所）においても接触する。従って、外力１４が加わった場合でも本体部１の円筒状の嵌合リブ２ａの傾きを、アタッチメント１２の外周側の円筒状のリブ形状１２ｂで傾きを抑える効果が得られ、脱落しにくくできる。尚、図６では理解のために、嵌合リブ２ａと、内周側嵌合リブ１２ａ及び外周側嵌合リブ１２ｂとの間に隙間が大きく描かれているが、実際の装置は必要最小限の隙間しか有しない。
【００３２】
尚、作業者がアタッチメント１２から本体部１を外すときは、本体部１を斜めにするのではなく、まっすぐ上に引き上げれば抵抗も少なく、従来の場合と同様に容易に外すことが可能である。
【００３３】
以上の説明から明らかなように、本発明によれば、ねじなどの部品を増やさずに、レーザー墨出し器を容易に保持具に取付け可能とすると共に、脱落し難いアタッチメント形状としたレーザー墨出し器を提供することができる。
【００３４】
さらに、本発明によれば、墨出し器本体の着脱が簡単で、墨出し器が保持具に取り付けた状態で横に傾けても自重で落下しにくい構造を有するレーザー墨出し器を提供することができる。
【００３５】
本実施形態では、レーザー墨出し器について説明したが、本発明は保持具に取り付けられる任意の装置においても適用可能であり、その装置の下部の構成と、本願発明のアタッチメントにより、本発明と同様の効果を得ることが可能である。
【００３６】
以上、本発明を示す実施形態に基づき説明したが、本発明は上記の形態に限定されるものではなく、その趣旨を逸脱しない範囲内で種々の変更が可能である。
【００３７】
例えば、上記の実施形態では本体側に一重の円筒状の嵌合リブを、アタッチメント側に二重の円筒状の嵌合リブを設けたが、この位置関係を逆にして、本体側に二重の円筒状の嵌合リブを、アタッチメント側に従来通り一重の円筒状の嵌合リブを設けるようにしても良い。さらに、本体側及びアタッチメント側の嵌合リブを、共に二重に構成しても良い。
【００３８】
また、嵌合リブのうち外周側に位置する嵌合リブの高さを、その内周側に位置する嵌合リブの高さよりも低くしても良く、その場合は内周側の嵌合リブがガイド板の役目を果たすので、レーザー墨出し器のアタッチメントへの装着を容易にできる。
【００３９】
さらに、本実施例では保持具として三脚の例で説明したが、三脚だけに限られず、四脚であっても良いし、その他の公知の雲台や任意の取り付け具であっても良い。
【図面の簡単な説明】
【００４０】
【図１】本発明の実施形態によるレーザー墨出し器の外観を示す正面図である。
【図２】本発明の実施形態によるレーザー墨出し器の構造を示す断面図である。
【図３】図１のＡ−Ａ部の断面を示す断面図である。
【図４】図１のアタッチメント１２の外観を示す斜視図である。
【図５】図１のスタンド部２のアタッチメント１２への取り付け状態を示す模式図である。
【図６】図１のスタンド部２のアタッチメント１２からの取り外し時の状態を示す模式図である。
【図７】従来のレーザー墨出し器の外観を示す正面図である。
【図８】従来のレーザー墨出し器の構造を示す断面図である。
【図９】図７のＢ−Ｂ部の断面を示す断面図である。
【図１０】図７のアタッチメント１１の外観を示す斜視図である。
【図１１】従来のレーザー墨出し器に外力が働いたときの状態を示す外観図である。
【符号の説明】
【００４１】
１  本体部      ２  スタンド部      ２ａ  嵌合リブ
３  カバー      ４  レーザー照射ユニット      ５  フレーム
６  レーザー照射部      ７  照射窓      ８  ノブ      ９  ストッパ      
１０  ノブ      １０ａ  雄ねじ      １１、１２  アタッチメント
１１ａ  嵌合リブ      １１ｃ、１２ｃ  ねじ穴      １２ａ  内周側嵌合リブ
１２ｂ  外周側嵌合リブ      １３  三脚      １４  切り欠き部      
２１  脚部
【図１】
0005109726.tif 000002
【図２】
0005109726.tif 000003
【図３】
0005109726.tif 000004
【図４】
0005109726.tif 000005
【図５】
0005109726.tif 000006
【図６】
0005109726.tif 000007
【図７】
0005109726.tif 000008
【図８】
0005109726.tif 000009
【図９】
0005109726.tif 000010
【図１０】
0005109726.tif 000011
【図１１】
0005109726.tif 000012